(57)【特許請求の範囲】
【請求項１】
直流電力が供給されると面状に発光する面状発光パネルと、
前記面状発光パネルの発光面からの光を取り出す光取出部が形成され前記面状発光パネルが収納された板状のケースとを備え、
前記ケースの第１の面には、前記面状発光パネルに給電するための正極が設けられた第１の切欠部が端部に形成され、
前記ケースの第２の面には、前記面状発光パネルに給電するための負極が設けられた第２の切欠部が端部に形成され、
前記第１の切欠部と前記第２の切欠部は、前記ケースの厚み方向から見たときの形状が異なる
ことを特徴とする光源。
【請求項２】
前記ケースは、当該ケースの厚み方向から見たときの形状が矩形であり、面内の一の方向に沿った外周線と前記光取出部の外周線との間の幅が、一の方向と直交する方向に沿った外周線と前記光取出部の外周線との間の幅よりも広く、
前記第１の切欠部は、前記第１の面の前記一の方向に沿った端部に形成され、
前記第２の切欠部は、前記第２の面の前記一の方向に沿った端部に形成される
ことを特徴とする請求項１記載の光源。
【請求項３】
前記第１の切欠部は、前記ケースの前記第１の面のすべての角部の各々に、面内の２方向に開くように形成され、
前記第２の切欠部は、前記ケースの前記第２の面のすべての角部の各々に、面内の２方向に開くように形成されている
ことを特徴とする請求項１または２記載の光源。
【請求項４】
前記第１の切欠部および前記第２の切欠部の少なくとも一方には、底面から突出する突出部が設けられていることを特徴とする請求項１〜３のいずれか１項に記載の光源。
【請求項５】
前記面状発光パネルは、調光可能であり、
前記第１の切欠部または前記第２の切欠部には、前記面状発光パネルの点灯状態を制御するための制御信号の信号線が設けられている
ことを特徴とする請求項１〜４のいずれか１項に記載の光源。
【請求項６】
請求項１〜５のいずれか１項に記載の光源を複数備えるとともに、
前記複数の光源の前記第１の切欠部と１対１で対応し各々が対応する第１の切欠部に嵌合する複数の第１の嵌合部を有する第１の接続部材と、
前記複数の光源の前記第２の切欠部と１対１で対応し各々が対応する第２の切欠部に嵌合する複数の第２の嵌合部を有する第２の接続部材とを備え、
前記第１の接続部材と前記第２の接続部材は、異なる形状を有する
ことを特徴とする光源装置。
【請求項７】
前記第１の嵌合部の個数および前記第２の嵌合部の個数は２つであり、
２つの前記第１の嵌合部は、互いに厚み方向が交差するように設けられ、
２つの前記第２の嵌合部は、互いに厚み方向が交差するように設けられる
ことを特徴とする請求項６記載の光源装置。
【発明の詳細な説明】
【技術分野】
【０００１】
本発明は、面状発光パネルを用いた光源およびこれを含む光源装置に関する。
【背景技術】
【０００２】
従来から、面状発光パネルを用いた光源装置が種々開発されている（例えば特許文献１参照）。このような光源装置では、発光領域を広げるために、複数の光源が接続されて用いられている。
【０００３】
特許文献１に記載された光源装置では、正方形のフラットパネル発光ユニットの各辺に一対のコンタクトが設けられている。すなわち、フラットパネル発光ユニットには、４対のコンタクトが設けられている。一対のコンタクトは、一方が有機発光ダイオード（Organic Light Emitting Diode：ＯＬＥＤ）の一端に接続され、他方が有機発光ダイオードの他端に接続されている。これにより、外部から一対のコンタクトを介して有機発光ダイオードへ供給される直流電力によって、有機発光ダイオードを発光させることができる。
【先行技術文献】
【特許文献】
【０００４】
【特許文献１】特表２００７−５３６７０８号公報
【発明の概要】
【発明が解決しようとする課題】
【０００５】
しかしながら、特許文献１に記載された従来の光源装置では、施工者にとって、一対のコンタクトのどちらが正極であるのか負極であるのかを見分けることが難しかった。このため、２つのフラットパネル発光ユニットが接続される際に、一方のフラットパネル発光ユニットの正極と他方のフラットパネル発光ユニットの負極とが誤って接続されてしまう可能性があった。
【０００６】
本発明は上記の点に鑑みて為され、本発明の目的は、他の物体に接続される際に、正極と負極とが誤って接続されることを防止できる光源および光源装置を提供することにある。
【課題を解決するための手段】
【０００７】
本発明の光源は、直流電力が供給されると面状に発光する面状発光パネルと、前記面状発光パネルの発光面からの光を取り出す光取出部が形成され前記面状発光パネルが収納された板状のケースとを備え、前記ケースの第１の面には、前記面状発光パネルに給電するための正極が設けられた第１の切欠部が端部に形成され、前記ケースの第２の面には、前記面状発光パネルに給電するための負極が設けられた第２の切欠部が端部に形成され、前記第１の切欠部と前記第２の切欠部は、前記ケースの厚み方向から見たときの形状が異なることを特徴とする。
【０００８】
この光源において、前記ケースは、当該ケースの厚み方向から見たときの形状が矩形であり、面内の一の方向に沿った外周線と前記光取出部の外周線との間の幅が、一の方向と直交する方向に沿った外周線と前記光取出部の外周線との間の幅よりも広く、前記第１の切欠部は、前記第１の面の前記一の方向に沿った端部に形成され、前記第２の切欠部は、前記第２の面の前記一の方向に沿った端部に形成されることが好ましい。
【０００９】
この光源において、前記第１の切欠部は、前記ケースの前記第１の面のすべての角部の各々に、面内の２方向に開くように形成され、前記第２の切欠部は、前記ケースの前記第２の面のすべての角部の各々に、面内の２方向に開くように形成されていることが好ましい。
【００１０】
この光源において、前記第１の切欠部および前記第２の切欠部の少なくとも一方には、底面から突出する突出部が設けられていることが好ましい。
【００１１】
この光源において、前記面状発光パネルは、調光可能であり、前記第１の切欠部または前記第２の切欠部には、前記面状発光パネルの点灯状態を制御するための制御信号の信号線が設けられていることが好ましい。
【００１２】
本発明の光源装置は、前記光源を複数備えるとともに、前記複数の光源の前記第１の切欠部と１対１で対応し各々が対応する第１の切欠部に嵌合する複数の第１の嵌合部を有する第１の接続部材と、前記複数の光源の前記第２の切欠部と１対１で対応し各々が対応する第２の切欠部に嵌合する複数の第２の嵌合部を有する第２の接続部材とを備え、前記第１の接続部材と前記第２の接続部材は、異なる形状を有することを特徴とする。
【００１３】
この光源装置において、前記第１の嵌合部の個数および前記第２の嵌合部の個数は２つであり、２つの前記第１の嵌合部は、互いに厚み方向が交差するように設けられ、２つの前記第２の嵌合部は、互いに厚み方向が交差するように設けられることが好ましい。
【発明の効果】
【００１４】
本発明では、正極が設けられた第１の切欠部と、負極が設けられた第２の切欠部とで、ケースの厚み方向から見たときの形状が異なる。これにより、他の物体（他の光源を含む）に接続される際に、正極と負極とが誤って接続されることを防止できる。
【図面の簡単な説明】
【００１５】
【図１】実施形態１に係る光源であって、（ａ）は全体を示す外観図、（ｂ）は表面側の部分拡大図、（ｃ）は裏面側の部分拡大図である。
【図２】同上に係る第１の接続部材であって、（ａ）は表面側の外観図、（ｂ）は裏面側の外観図である。
【図３】同上に係る第２の接続部材であって、（ａ）は表面側の外観図、（ｂ）は裏面側の外観図である。
【図４】同上に係る複数の光源が連結された状態の外観図である。
【図５】同上に係る光源であって、（ａ）は単品の電気的接続を示す図、（ｂ）は連結時の電気的接続を示す図である。
【図６】同上に係る照明器具の一例の外観図である。
【図７】同上に係る照明器具の変形例の外観図である。
【図８】実施形態２に係る第１の接続部材であって、（ａ）は表面側の外観図、（ｂ）は裏面側の外観図である。
【図９】同上に係る第２の接続部材であって、（ａ）は表面側の外観図、（ｂ）は裏面側の外観図である。
【図１０】同上に係る光源および第１の接続部材であって、（ａ）は表面側の外観図、（ｂ）は裏面側の外観図である。
【図１１】同上に係る照明器具の一例の外観図である。
【図１２】実施形態３に係る複数の光源であって、（ａ）は連結前の外観図、（ｂ）は連結された状態の外観図である。
【発明を実施するための形態】
【００１６】
以下の実施形態１〜３では、面状発光パネルを用いた光源および光源装置（照明器具）について説明する。
【００１７】
（実施形態１）
実施形態１に係る光源１は、図１に示すように、面状に発光する面状発光パネル２と、面状発光パネル２が収納される板状のケース３とを備えている。本実施形態の光源１は、後述の第１の接続部材６（図２参照）および第２の接続部材７（図３参照）とともに用いられる。
【００１８】
面状発光パネル２は、例えば有機発光ダイオード２１（図５参照）を主構成要素とし、四角形状（図示例では正方形）に形成されている。面状発光パネル２は、直流電力が供給されると有機発光ダイオード２１が面状に発光する。
【００１９】
ケース３は、例えば絶縁性の樹脂で成形された部材であり、面状発光パネル２が収納された板状の部品である。ケース３の形状は、ケース３の厚み方向（図１のＺ軸方向）から見たときに正方形である。ケース３には、面状発光パネル２を保持するための保持部材４，４が面状発光パネル２とともに収納されている。
【００２０】
面状発光パネル２の発光面２２からの光を取り出す光取出部として、ケース３の表面（第１の面）３１の中央部には、開口部３２が形成されている。開口部３２は、面状発光パネル２がケース３に収納された状態で、面状発光パネル２の発光面２２を露出させるように形成されている。
【００２１】
また、ケース３の表面３１には、複数（図示例では４つ）の第１の切欠部（第１の凹所）３３，３３，……が端部に形成されている。第１の切欠部３３の底面３３１には、導電体からなる正極５１と、導電体からなる一対の信号線５２，５２とが設けられている。正極５１は、面状発光パネル２に給電するための電極である。一対の信号線５２，５２には、面状発光パネル２からの光を制御するための制御信号が通る。また、第１の切欠部３３には、底面３３１から突出する第１の突出部３４が底面３３１と一体に設けられている。第１の突出部３４は、円柱状に形成されている。第１の切欠部３３には、後述の第１の接続部材６（図２参照）が嵌合する。
【００２２】
一方、ケース３の裏面（第２の面）３５には、複数（図示例では４つ）の第２の切欠部（第２の凹所）３６，３６，……が端部に形成されている。第２の切欠部３６の底面３６１には、導電体からなる負極５３が設けられている。負極５３は、面状発光パネル２に給電するための電極である。また、第２の切欠部３６には、底面３６１から突出する第２の突出部３７が底面３６１と一体に設けられている。第２の突出部３７は、円柱状に形成されている。第２の切欠部３６には、後述の第２の接続部材７（図３参照）が嵌合する。
【００２３】
このような第１の切欠部３３と第２の切欠部３６は、ケース３の厚み方向（図１のＺ軸方向）から見たときの形状が異なっている。具体的な形状については、以下に説明する。
【００２４】
第１の切欠部３３の壁面３３２は、図１（ｂ）に示すように、平面部分３３３と平面部分３３４との間が曲面部分３３５となっている。すなわち、ケース３の厚み方向から見たときの第１の切欠部３３は、２本の直線の間が曲線となっている。なお、第１の切欠部３３は、第１の切欠部３３に第２の接続部材７が取り付けられないような大きさおよび形状である。
【００２５】
これに対して、第２の切欠部３６の壁面３６２は、図１（ｃ）に示すように、２つの平面部分３６３と平面部分３６４との間が平面部分３６５となっている。すなわち、ケース３の厚み方向から見たときの第２の切欠部３６は、２本の直線の間が直線となっている。なお、第２の切欠部３６は、第２の切欠部３６に第１の接続部材６が取り付けられないような大きさおよび形状である。
【００２６】
これにより、第１の切欠部３３に設けられた正極５１と、他の光源１の第２の切欠部３６に設けられた負極５３とが誤って接続されることを防止できる。
【００２７】
ところで、本実施形態のケース３では、図１のＹ軸方向に沿ったケース３の外周線と開口部３２の外周線（縁部）との間の幅Ｗ１が、図１のＸ軸方向に沿ったケース３の外周線と開口部３２の外周線（縁部）との間の幅Ｗ２よりも広くなっている。
【００２８】
このようなケース３において、第１の切欠部３３は、表面３１のＹ軸方向に沿った端部に形成され、第２の切欠部３６は、裏面３５のＹ軸方向に沿った端部に形成されている。
【００２９】
また、第１の切欠部３３は、ケース３の表面３１のすべての角部の各々に、Ｘ軸方向およびＹ軸方向に開くように形成され、第２の切欠部３６は、ケース３の裏面３５のすべての角部の各々に、Ｘ軸方向およびＹ軸方向に開くように形成されている。
【００３０】
上記のような構成の光源１と第１の接続部材（第１のジョイントパーツ）６と第２の接続部材（第２のジョイントパーツ）７とで光源装置を構成する。すなわち、本実施形態の光源装置は、複数の光源１，１と、第１の接続部材６と、第２の接続部材７とを備えている。
【００３１】
第１の接続部材６は、図２に示すように、例えば樹脂などの絶縁材料によって板状に形成された部材であり、複数（図示例では２つ）の第１の嵌合部６１，６１を一体に備えている。第１の嵌合部６１には、第１の突出部３４（図１参照）が挿通される第１の孔６４が表面６２から裏面６３に貫通して形成されている。複数の第１の嵌合部６１，６１は、複数の光源１，１の第１の切欠部３３と１対１で対応し、各々が対応する第１の切欠部３３に嵌合する。
【００３２】
また、第１の接続部材６の裏面６３には、導電体８１と、一対の導電体８２，８２とが設けられている。導電体８１は、複数の光源１，１の第１の切欠部３３に設けられた正極５１（図１参照）と導通する。これにより、第１の接続部材６には、直流給電路の一部が形成されていることになる。一対の導電体８２，８２は、複数の光源１，１の第１の切欠部３３に設けられた一対の信号線５２，５２（図１参照）と１対１で導通する。
【００３３】
第２の接続部材７は、図３に示すように、例えば樹脂などの絶縁材料によって板状に形成された部材であり、複数（図示例では２つ）の第２の嵌合部７１，７１を一体に備えている。第２の接続部材７は、第１の接続部材６とは異なる形状を有している。第２の嵌合部７１には、第２の突出部３７（図１参照）が挿通される第２の孔７４が表面７２から裏面７３に貫通して形成されている。複数の第２の嵌合部７１，７１は、複数の光源１，１の第２の切欠部３６と１対１で対応し、各々が対応する第２の切欠部３６に嵌合する。
【００３４】
また、第２の接続部材７の裏面７３には、導電体８３が設けられている。導電体８３は、複数の光源１，１の第２の切欠部３６に設けられた負極５３（図１参照）と導通する。これにより、第２の接続部材７には、直流給電路の一部が形成されていることになる。
【００３５】
次に、本実施形態に係る２つの光源１，１の接続方法について図１〜４を用いて説明する。まず、施工者は、２つの光源１，１を用意し、２つの光源１，１の表面３１が同じ側になるように、２つの光源１，１を並べる。表面３１では、２つの光源１，１の第１の切欠部３３，３３同士が隣接した状態になっている。裏面３５では、２つの光源１，１の第２の切欠部３６，３６同士が隣接した状態になっている。その後、施工者は、隣接した２つの第１の切欠部３３，３３に第１の接続部材６を嵌合させる。続いて、隣接した２つの第２の切欠部３６，３６に第２の接続部材７を嵌合させる。これにより、図４に示すように、施工者は２つの光源１，１を接続することができる。
【００３６】
次に、光源１の電気的接続について図５（ａ）を用いて説明する。光源１は、複数の正極５１，５１，……同士を接続する第１の電力線９１と、複数の負極５３，５３，……同士を接続する第２の電力線９２とを備えている。第１の電力線９１は、有機発光ダイオード２１のアノード側に接続され、第２の電力線９２は、有機発光ダイオード２１のカソード側に接続されている。第１の電力線９１および第２の電力線９２は、ケース３に収納されている。
【００３７】
続いて、複数の光源１，１，……が接続された場合について図５（ｂ）を用いて説明する。各光源１の電気的接続は上述した通りである。隣接する光源１，１の正極５１，５１は、第１の接続部材６（図２参照）によって導通し、隣接する光源１，１の負極５３，５３は、第２の接続部材７（図３参照）によって導通する。
【００３８】
ところで、光源１の面状発光パネル２の発光状態を制御する制御部（図示せず）は、光源１ごとにケース３に内蔵されている場合と、ケース３に内蔵されていない場合とがある。制御部がケース３に内蔵されている場合、複数の光源１が連結されている状態であっても、光源１ごとの個別制御が可能である。一方、制御部がケース３に内蔵されずに複数の光源１とは別に設けられている場合、制御部は、光源１ごとに個別制御することはできず、複数の光源１に対する連動制御のみが可能である。
【００３９】
次に、本実施形態の照明器具（点灯装置）の一例を図６に示す。図６に示す照明器具は、中央の光源１と周囲の４つの光源１，１，……とが線接続された構成である。図示していないが、隣接する光源１，１は、第１の接続部材６および第２の接続部材７によって接続されている。
【００４０】
以上の説明より、本実施形態では、正極５１が設けられた第１の切欠部３３と、負極５３が設けられた第２の切欠部３６とが、ケース３の厚み方向（図１のＺ軸方向）から見たときの形状が異なる。これにより、複数の光源１，１が接続される際に、正極５１と負極５３とが誤って接続されることを防止できる。
【００４１】
また、本実施形態では、図１のＹ軸方向に沿ったケース３の外周線と開口部３２の外周線との間の幅Ｗ１が、図１のＸ軸方向に沿ったケース３の外周線と開口部３２の外周線との間の幅Ｗ２よりも広い。また、各第１の切欠部３３が表面３１のＹ軸方向に沿った端部に形成され、各第２の切欠部３６が、裏面３５のＹ軸方向に沿った端部に形成されている。これにより、図１のＸ軸方向に沿ったケース３の両端において、第１の切欠部３３および第２の切欠部３６のためのスペースが不要であるので、ケース３における面状発光パネル２の割合を高めることができる。
【００４２】
さらに、本実施形態では、表面３１のすべての角部の各々に、図１のＸ軸方向およびＹ軸方向に開くように第１の切欠部３３が形成され、裏面３５のすべての角部の各々に、Ｘ軸方向およびＹ軸方向に開くように第２の切欠部３６が形成されている。これにより、複数の光源１，１を自由に接続させることができる。
【００４３】
また、本実施形態では、第１の切欠部３３に第１の突出部３４が設けられ、第２の切欠部３６に第２の突出部３７が設けられている。これにより、第１の切欠部３３と第１の接続部材６との嵌合の強度および第２の切欠部３６と第２の接続部材７との嵌合の強度を高めることができる。
【００４４】
さらに、本実施形態では、第１の切欠部３３に、面状発光パネル２の点灯状態を制御するための制御信号の信号線５２，５２が設けられている。これにより、複数の光源１，１間で制御信号を伝送することができる。
【００４５】
なお、本実施形態の光源１を用いた照明器具の変形例としては、例えば図７に示すように複数の光源１，１，……が点接続された照明器具がある。
【００４６】
また、本実施形態の光源１を用いた照明器具の他の変形例として、１つの光源１のみを用いた照明器具がある。この場合、第１の接続部材６および第２の接続部材７は、照明器具を設置面へ取り付けるための取付部材と光源１とを接続するために用いられる。この取付部材は、商用電源に接続されている電力線を含んでいる。
【００４７】
（実施形態２）
実施形態２では、複数の光源１，１，……が面接続された光源装置について説明する。なお、本実施形態の光源１は、実施形態１の光源１と同様であるので、詳細な説明を省略する。
【００４８】
本実施形態の第１の接続部材６は、図８に示すような形状の部材である。本実施形態の第１の接続部材６には、４つの第１の孔６４，６４，……が形成されている。第１の接続部材６の裏面６３には、２つの導電体８１，８１と、２対の導電体８２，８２，……とが設けられている。なお、実施形態１の第１の接続部材６（図２参照）と同様の機能については説明を省略する。
【００４９】
本実施形態の第２の接続部材７は、図９に示すような形状の部材である。本実施形態の第２の接続部材７には、４つの第２の孔７４，７４，……が形成されている。第２の接続部材７の裏面７３には、２つの導電体８３，８３が設けられている。なお、実施形態１の第２の接続部材７（図３参照）と同様の機能については説明を省略する。
【００５０】
本実施形態の第１の接続部材６および第２の接続部材７は、４つの光源１を面接続させることが可能である。図１０に示すように、第１の接続部材６の第１の孔６４に光源１の第１の突出部３４が挿通され、第１の接続部材６の第１の嵌合部６１が第１の切欠部３３に嵌合する。また、第２の接続部材７の第２の孔７４に光源１の第２の突出部３７が挿通され、第２の接続部材７の第２の嵌合部７１が第２の切欠部３６に嵌合する。これを他の光源１にも行うと、１組の第１の接続部材６および第２の接続部材７によって、４つの光源１を接続することができる。
【００５１】
本実施形態の照明器具の一例を図１１に示す。図１１に示す照明器具は、７×５の光源１，１，……が面接続された構成である。図示していないが、隣接する４つの光源１，１，……は、第１の接続部材６および第２の接続部材７によって接続されている。
【００５２】
本実施形態においても、複数の光源１，１，……が面接続される際に、正極５１と負極５３とが誤って接続されることを防止できる。
【００５３】
（実施形態３）
実施形態３では、図１２に示すように複数（図示例では２つ）の光源１，１が立体的に接続された光源装置について説明する。なお、本実施形態の光源１は、実施形態１の光源１と同様であるので、詳細な説明を省略する。
【００５４】
本実施形態の第１の接続部材６は、一対の第１の嵌合部６１，６１を一体に備えている。一対の第１の嵌合部６１，６１は、互いに厚み方向が交差するように設けられている。図１２の例では、一対の第１の嵌合部６１，６１は直角に設けられている。一対の第１の嵌合部６１，６１は、互いに異なる光源１の第１の切欠部３３に嵌合する。なお、実施形態１の第１の接続部材６（図２参照）と同様の機能については説明を省略する。
【００５５】
本実施形態の第２の接続部材７は、２対の第２の嵌合部７１，７１，……と本体部７５とを一体に備えている。本体部７５は、柱状に形成され、複数の光源１，１の各々のケース３の側面と当接する。一対の第２の嵌合部７１，７１は、互いに厚み方向が交差するように本体部７５の長手方向の端部に設けられている。図１２の例では、一対の第２の嵌合部７１，７１は直角に設けられている。一対の第２の嵌合部７１，７１は、互いに異なる光源１の第２の切欠部３６に嵌合する。なお、実施形態１の第２の接続部材７（図３参照）と同様の機能については説明を省略する。
【００５６】
以上の説明より、本実施形態によれば、複数の光源１，１の間の角度を１８０°未満にして複数の光源１，１を連結することができる。図１２に示すように２つの光源１，１を直角に連結することができる。
【００５７】
なお、本実施形態の変形例として、第１の接続部材６および第２の接続部材７は、図１２（ｂ）の軸７６（第２の接続部材７の本体部７５の長手方向の軸）に２つの光源１，１が回動自在となるような構造であってもよい。これにより、各光源１，１の開きを自由に変更して、各光源１，１の面状発光パネル２の発光面２２（図１参照）の向き（光軸方向）を自由に変更することができる。
【００５８】
なお、各実施形態において、ケース３は、面状発光パネル２の発光面２２からの光を取り出す光取出部として、面状発光パネル２の発光面２２からの光を透過する透光性部材を備えてもよい。この透光性部材は、例えばケース３の他の部分と二色成形などで一体に備えることができる。
【００５９】
また、各実施形態において、第１の切欠部３３のみに第１の突出部３４が設けられていてもよいし、第２の切欠部３６のみに第２の突出部３７が設けられていてもよい。
【００６０】
さらに、各実施形態において、制御信号の信号線５２，５２は、第１の切欠部３３ではなく、第２の切欠部３６に設けられていてもよい。
【００６１】
また、各実施形態において、ケース３の形状は、ケース３の厚み方向（図１のＺ軸方向）から見たときに矩形であればよい。すなわち、ケース３の形状は、長方形であってもよい。また、ケース３の形状は、例えば三角形もしくは五角形など四角形以外の多角形であってもよい。
【符号の説明】
【００６２】
１  光源
２  面状発光パネル
２２  発光面
３  ケース
３１  表面（第１の面）
３２  開口部（光取出部）
３３  第１の切欠部
３３１  底面
３４  第１の突出部
３５  裏面（第２の面）
３６  第２の切欠部
３６１  底面
３７  第２の突出部
５１  正極
５３  負極
６  第１の接続部材
６１  第１の嵌合部
７  第２の接続部材
７１  第２の嵌合部
【図１】
0005745354.tif 000002
【図２】
0005745354.tif 000003
【図３】
0005745354.tif 000004
【図４】
0005745354.tif 000005
【図５】
0005745354.tif 000006
【図６】
0005745354.tif 000007
【図７】
0005745354.tif 000008
【図８】
0005745354.tif 000009
【図９】
0005745354.tif 000010
【図１０】
0005745354.tif 000011
【図１１】
0005745354.tif 000012
【図１２】
0005745354.tif 000013